(57)【要約】【課題】建物内への雨水の吹き込みを阻止することができる建物の止水構造を提供する。【解決手段】建物には、建物本体から屋外側に張り出してバルコニー２０が設けられており、バルコニー２０の周縁部にはバルコニー腰壁部２２が設けられている。バルコニー腰壁部２２は、その屋外側に外側壁面材２８を有している。外側壁面材２８は、当該外側壁面材２８の幅方向に延びる壁支持部材３７により下方から支持されている。壁支持部材３７は、外側壁面材２８の下端面が載置される横板部３７ｂと、外側壁面材２８の裏面と対向する縦板部３７ａとを有するＬ字状をなしている。壁支持部材３７と外側壁面材２８との間には、外側壁面材２８の幅方向に延びる止水役物５０が挟み込まれている。【選択図】      図２
2015094143.tif 000002
【特許請求の範囲】
【請求項１】
外壁面材と、
その外壁面材の幅方向に沿って長尺状に形成され、当該外壁面材を下方から支持する壁支持部材と、を備え、
前記壁支持部材は、前記外壁面材の下端面が載置される横板部と、当該外壁面材の裏面と対向する縦板部とを有するＬ字状をなしている建物に適用され、
前記壁支持部材と前記外壁面材との間に、当該外壁面材の幅方向に延びる止水部材が挟み込まれて設けられていることを特徴とする建物の止水構造。
【請求項２】
建物本体から屋外側に張り出してバルコニーが設けられ、そのバルコニーの周縁部に沿って腰壁部が設けられている建物に適用され、
前記腰壁部は、その屋外側に前記外壁面材を有しており、
前記外壁面材の下方には、当該外壁面材の幅方向に沿って延びかつ当該外壁面材の下端面を覆う壁下見切り材が設けられており、
前記止水部材は、前記壁下見切り材を取り付けるための見切り取付部を有していることを特徴とする請求項１に記載の建物の止水構造。
【請求項３】
前記止水部材は、前記横板部と前記外壁面材の下端面との間に挟み込まれた止水横板部と、前記止水横板部よりも下方へ延びる前記見切り取付部とを有しており、
前記壁下見切り材は、前記見切り取付部の屋外側に取り付けられる被取付部を有していることを特徴とする請求項２に記載の建物の止水構造。
【請求項４】
前記外壁面材は、上下に延びる複数の中空部を有しており、
前記止水横板部は、前記横板部よりも屋外側に延出し前記中空部を下方から覆う延出部を有しており、その延出部の延出側端部に前記見切り取付部が設けられており、
前記見切り取付部に屋外側から前記被取付部が取り付けられることで、当該被取付部は前記中空部よりも屋外側に位置しており、
前記壁下見切り材は、前記被取付部よりも下方にて前記外壁面材の厚み方向に前記中空部を跨いで延びる下板部を有しており、
前記延出部には、前記中空部を下方に開放させる排水孔部が形成されていることを特徴とする請求項３に記載の建物の止水構造。
【請求項５】
前記バルコニーの底部において前記外壁面材よりもバルコニー内側にはバルコニー底板が設けられており、
前記壁下見切り材は、
前記外壁面材の厚み方向に前記中空部と前記バルコニー底板とに跨がって延びる前記下板部と、
当該下板部から上方へ延び前記バルコニー底板を下方から支える支持板部とを有し、
前記壁下見切り材において前記下板部と前記支持板部との境界部付近には当該壁下見切り材を厚み方向に貫通する孔部が設けられていることを特徴とする請求項４に記載の建物の止水構造。
【請求項６】
前記壁下見切り材は、前記被取付部の下端部から屋外側に延び、前記外壁面材の下端面と上下に対向する壁下対向部を有しており、
前記外壁面材の下端面と前記壁下対向部との間には、それら両者間の隙間を塞ぐシール材が設けられていることを特徴とする請求項３乃至５のいずれか一項に記載の建物の止水構造。
【発明の詳細な説明】
【技術分野】
【０００１】
本発明は、建物の止水構造に関する。
【背景技術】
【０００２】
住宅等の建物では、建物本体から屋外側に張り出すようにバルコニー（いわゆるキャンチバルコニー）が設けられている場合がある（例えば特許文献１参照）。バルコニーは、バルコニー床部と、バルコニー床部の周縁に立設されるバルコニー腰壁部とを備えている。バルコニー腰壁部は、その屋外側に外壁面材を有しており、その外壁面材は、例えば内部に複数の中空部を有する重厚外壁により構成されている。
【０００３】
重厚外壁では、その厚みが大きいため自立可能とされていることが多い。そのため、重厚外壁の場合、Ｌ字型の鋼板よりなる壁支持部材によって外壁を下方から支持する支持構造が用いられることがある。この場合、壁支持部材は、外壁の下端面が載置される横板部と、外壁の裏面に対向する縦板部とを有する。また、壁支持部材は、十分な支持強度を確保すべく、厚みの大きい鋼板により形成されることが多い。
【先行技術文献】
【特許文献】
【０００４】
【特許文献１】特開２００５−２９９３０２号公報
【発明の概要】
【発明が解決しようとする課題】
【０００５】
ところで、壁支持部材の厚みが大きいと、その分壁支持部材の曲げ部（Ｌ字曲げ部）の半径（曲げ半径）が大きくなると考えられる。そのため、壁支持部材の横板部上に重厚外壁を載置した場合に、重厚外壁の裏面下端の角部が曲げ部の上に載っかることが想定される。その場合、重厚外壁の下端面と横板部の上面との間、又は重厚外壁の裏面と縦板部の前面との間に隙間が発生するおそれがある。そうすると、屋外において強風を伴う降雨があった場合に、雨水がその隙間を通じてバルコニーの床下側へ吹き込むことが懸念され、さらには建物本体側へ吹き込むことが懸念される。
【０００６】
なお、上述の問題は、バルコニーに設けられた外壁面材に限らず、上記の支持構造により支持される外壁面材であればその設置箇所にかかわらず同様に生じうる問題である。
【０００７】
本発明は、上記事情に鑑みてなされたものであり、建物内への雨水の吹き込みを阻止することができる建物の止水構造を提供することを主たる目的とするものである。
【課題を解決するための手段】
【０００８】
上記課題を解決すべく、第１の発明の建物の止水構造は、外壁面材と、その外壁面材の幅方向に沿って長尺状に形成され、当該外壁面材を下方から支持する壁支持部材と、を備え、前記壁支持部材は、前記外壁面材の下端面が載置される横板部と、当該外壁面材の裏面と対向する縦板部とを有するＬ字状をなしている建物に適用され、前記壁支持部材と前記外壁面材との間に、当該外壁面材の幅方向に延びる止水部材が挟み込まれて設けられていることを特徴とする。
【０００９】
本発明によれば、外壁面材と壁支持部材との間に止水部材が挟み込まれているため、強風を伴う降雨がある場合でも、雨水が外壁面材と壁支持部材との間を通じて建物内へ吹き込むのを阻止することができる。
【００１０】
第２の発明の建物の止水構造は、第１の発明において、建物本体から屋外側に張り出してバルコニーが設けられ、そのバルコニーの周縁部に沿って腰壁部が設けられている建物に適用され、前記腰壁部は、その屋外側に前記外壁面材を有しており、前記外壁面材の下方には、当該外壁面材の幅方向に沿って延びかつ当該外壁面材の下端面を覆う壁下見切り材が設けられており、前記止水部材は、前記壁下見切り材を取り付けるための見切り取付部を有していることを特徴とする。
【００１１】
本発明によれば、止水部材の見切り取付部に対して壁下見切り材が取り付けられているため、止水部材を壁下見切り材の下地として兼用することができる。これにより、壁下見切り材を取り付けるための下地材を別途設ける必要がなくなるため、部品点数の増大を抑制しながら上記第１の発明の効果を得ることができる。
【００１２】
第３の発明の建物の止水構造は、第２の発明において、前記止水部材は、前記横板部と前記外壁面材の下端面との間に挟み込まれた止水横板部と、前記止水横板部よりも下方へ延びる前記見切り取付部とを有しており、前記壁下見切り材は、前記見切り取付部の屋外側に取り付けられる被取付部を有していることを特徴とする。
【００１３】
本発明によれば、止水部材の止水横板部が壁支持部材の横板部と外壁面材の下端面との間で外壁面材の自重により挟み込まれるため、止水横板部の両面にそれぞれ外壁面材の下端面及び横板部の上面を密着させることができる。これにより、外壁面材の下端面と横板部との間を通じて雨水が建物内へ吹き込むのを確実に阻止することができる。
【００１４】
また、見切り取付部が止水横板部よりも下方へ延びており、その見切り取付部の屋外側に壁下見切り材の被取付部が取り付けられているため、被取付部の取り付けを行う際はその取付作業を屋外側から行うことが可能となる。そのため、その取付作業を下方から行う場合と比べて取付作業がし易い。
【００１５】
第４の発明の建物の止水構造は、第３の発明において、前記外壁面材は、上下に延びる複数の中空部を有しており、前記止水横板部は、前記横板部よりも屋外側に延出し前記中空部を下方から覆う延出部を有しており、その延出部の延出側端部に前記見切り取付部が設けられており、前記見切り取付部に屋外側から前記被取付部が取り付けられることで、当該被取付部は前記中空部よりも屋外側に位置しており、前記壁下見切り材は、前記被取付部よりも下方にて前記外壁面材の厚み方向に前記中空部を跨いで延びる下板部を有しており、前記延出部には、前記中空部を下方に開放させる排水孔部が形成されていることを特徴とする。
【００１６】
ところで、外壁面材には、その内部に上下に延びる複数の中空部を有するものがある。かかる外壁面材では、これら中空部（詳しくはその下端開口）を下方に露出させないように壁下見切り材で外壁面材下を覆う必要がある。そこで本発明では、かかる外壁面材においてその下端面と壁支持部材の横板部との間で挟み込まれる止水横板部に当該横板部よりも屋外側に延出し中空部を下方から覆う延出部を設け、その延出部の延出側端部に見切り取付部を設けている。この場合、見切り取付部に壁下見切り材の被取付部が屋外から取り付けられることで、被取付部が中空部よりも屋外側に配置され、さらにその被取付部よりも下方では下板部が壁厚み方向に中空部を跨いで設けられるため、中空部の下端開口が下方に露出するのを防止することができる。
【００１７】
また、このように延出部により中空部が下方から覆われる構成にあって、当該延出部には中空部を下方に開放させる排水孔部が形成されているため、仮に中空部に雨水等の水が入り込んだとしてもその水を排水孔部を通じて下方に排出することができる。これにより、中空部に入り込んだ水が中空部で滞留するのを回避することができ、その結果滞留した水が腐食して悪臭が発生する等の不都合が生じるのを防止することができる。よって、この場合、中空部の下方への露出を防止しながらも、中空部における水の滞留を回避して上記不都合の発生を防止することができる。
【００１８】
第５の発明の建物の止水構造は、第４の発明において、前記バルコニーの底部において前記外壁面材よりもバルコニー内側にはバルコニー底板が設けられており、前記壁下見切り材は、前記外壁面材の厚み方向に前記中空部と前記バルコニー底板とに跨がって延びる前記下板部と、当該下板部から上方へ延び前記バルコニー底板を下方から支える支持板部とを有し、前記壁下見切り材において前記下板部と前記支持板部との境界部付近には当該壁下見切り材を厚み方向に貫通する孔部が設けられていることを特徴とする。
【００１９】
本発明によれば、外壁面材の中空部より下方へ排出された水が壁下見切り材の下板部上に落下し、その後下板部上を伝って孔部より壁下見切り材の外すなわち屋外に排出される。これにより、壁下見切り材の内部に水が溜まるのを回避することができるため、溜まった水が腐食して異臭が発生する等の不都合が生じるのを回避できる。
【００２０】
また、壁下見切り材にはバルコニー底板を下方から支える支持板部が設けられているため、その支持板部にはバルコニー底板から下向きの荷重が作用することとなる。そのため、壁下見切り材は、その荷重により支持板部側が若干下方に下がった状態で見切り取付部に保持されると考えられる。その場合、下板部は支持板部側に向けて若干下方傾斜した状態となるため、中空部から下板部上に排出された水はその下板部の傾斜に沿って支持板部側に流れることが想定される。そこで本発明では、この点に鑑み、壁下見切り材において下板部と支持板部との境界部付近に上記の孔部を設けている。この場合、下板部上の傾斜に沿って流れる水を孔部を介して好適に排出することができるため、下板部上に水が滞留するのを確実に回避することができ、その結果水の滞留に伴い生じうる上述の不都合をより確実に防止することができる。
【００２１】
第６の発明の建物の止水構造は、第３乃至第５のいずれかの発明において、前記壁下見切り材は、前記被取付部の下端部から屋外側に延び、前記外壁面材の下端面と上下に対向する壁下対向部を有しており、前記外壁面材の下端面と前記壁下対向部との間には、それら両者間の隙間を塞ぐシール材が設けられていることを特徴とする。
【００２２】
本発明によれば、壁下見切り材の壁下対向部と外壁面材の下端面との間にシール材が設けられているため、強風を伴う降雨がある場合に壁下見切り材（例えば被取付部）の上端部と外壁面材の下端面との間を通じて雨水が建物内へ吹き込むのを阻止することができる。つまり、この場合、シール材を一次止水部材、止水部材を二次止水部材とした二重止水構造を構築することができるため、建物内への雨水の吹き込みをより確実に阻止することができる。
【００２３】
また、壁下見切り材の被取付部は止水部材の見切り取付部に屋外側からビス等の締結具により取り付けられると考えられるが、その締結具をシール材により屋外側から覆い隠すことができるため、締結具が露出して美観が損なわれるのを回避することもできる。
【図面の簡単な説明】
【００２４】
【図１】建物の全体を示す概略斜視図。
【図２】バルコニー腰壁部の下部周辺の構成を示す縦断面図。
【図３】止水役物を示す縦断面図。
【発明を実施するための形態】
【００２５】
以下に、本発明を具体化した一実施の形態について図面を参照しつつ説明する。なお、図１は建物の全体を示す概略斜視図である。
【００２６】
図１に示すように、建物１０は、基礎１１上に配設された建物本体１２と、建物本体１２の上方に配設された屋根１３とを備える。建物本体１２は、一階部分１５と二階部分１６とを有してなる二階建てとなっている。建物本体１２の二階部分１６には、建物本体１２から屋外側に張り出すようにしてキャンチバルコニー２０（以下、バルコニー２０という）が設けられている。
【００２７】
バルコニー２０は、バルコニー床部２１と、バルコニー床部２１の周縁に沿って立設されたバルコニー腰壁部２２とを備える。バルコニー床部２１とバルコニー腰壁部２２と建物本体１２の外壁部１８とにより囲まれた内側空間はバルコニー空間ＢＳとなっている。
【００２８】
次に、バルコニー腰壁部２２の下部周辺の構成について図２に基づいて説明する。なお、図２はバルコニー腰壁部２２の下部周辺の構成を示す縦断面図である。また、図２では、外壁部１８と対面して設けられたバルコニー腰壁部２２を示している。
【００２９】
図２に示すように、バルコニー床部２１は、Ｈ形鋼よりなる複数のバルコニー床梁２３，２４を備えている。バルコニー床梁２３，２４には、建物本体１２から屋外側に張り出して設けられた複数の張出梁２３と、それら各張出梁２３の屋外側の端部同士を連結する連結梁２４とがある。連結梁２４は、バルコニー腰壁部２２（詳しくは後述する内側壁面材２９）の下方において当該腰壁部２２の幅方向に沿って延びている。
【００３０】
バルコニー床梁２３，２４の上面には、ＡＬＣ床からなる床下地材２６が設けられている。床下地材２６上には発砲ポリスチレン等からなる床断熱材２７が敷設されている。また、床断熱材２７上には図示しない防水板が敷設され、その防水板によりバルコニー空間ＢＳの床面が形成されている。
【００３１】
バルコニー腰壁部２２は、その屋外側に設けられた外側壁面材２８と、その屋内側（バルコニー空間ＢＳ側）に設けられた内側壁面材２９とを備える。それら各壁面材２８，２９はいずれも窯業系サイディングにより構成された重厚外壁となっている。各壁面材２８，２９は、その内部に上下方向全域に亘って延びる複数の中空部２８ａ，２９ａを有している。これらの中空部２８ａ，２９ａは、壁面材２８，２９の幅方向に沿って所定の間隔（等間隔）で配置されている。なお、各壁面材２８，２９の間には壁フレーム（図示略）が設けられ、その壁フレームにより各壁面材２８，２９が裏面側から支持されている。また、バルコニー腰壁部２２が腰壁部に相当し、外側壁面材２８が外壁面材に相当する。
【００３２】
また、図示は省略するが、バルコニー腰壁部２２の上端部には、各壁面材２８，２９の上端部の間に跨がるようにして笠木が設けられている。この笠木と各壁面材２８，２９の上端部と間の隙間（詳しくは隙間において壁面材２８，２９の中空部２８ａ，２９ａよりも壁表面側の部分）にはそれぞれ、当該隙間を通じて屋外側（及びバルコニー空間側）から雨水等の水が入り込むのを防止すべく止水シールＳ（一次シール）が施されている。
【００３３】
内側壁面材２９は、バルコニー床部２１上に配設されているのに対し、外側壁面材２８は内側壁面材２９よりも下方へ延びてその下端部がアングル３２を介して連結梁２４に固定されている。アングル３２は、断面Ｌ字状の鋼板よりなり、連結梁２４の下面にボルト３４及びナット３５により固定された横板部３２ａと、横板部３２ａの屋外側端部から下方に延びる縦板部３２ｂとを有する。アングル３２は、連結梁２４の長手方向に沿って所定の間隔で複数配置されている。
【００３４】
それら各アングル３２の縦板部３２ｂには、長尺状の壁支持部材３７が架け渡されて固定されている。壁支持部材３７は、外側壁面材２８を下方から支持する支持部材であり、その支持強度を確保すべく、比較的厚みの大きい鋼板により形成されている。壁支持部材３７は、断面Ｌ字状をなしており、各アングル３２の縦板部３２ｂの屋外側面にそれぞれ溶接により固定された縦板部３７ａと、その縦板部３７ａの下端部から屋外側に向けて延びる横板部３７ｂとを有する。横板部３７ｂは、その幅（短手方向の長さ）が縦板部３７ａよりも小さくなっている。
【００３５】
壁支持部材３７の横板部３７ｂ上には、外側壁面材２８が載置されている。外側壁面材２８は、その載置状態で固定金具３８を介して壁支持部材３７に固定されている。固定金具３８は、段曲げ形成された鋼板よりなり、外側壁面材２８の裏面に固定された固定板部３８ａと、その固定板部３８ａと段曲げ部（段差部）を介して接続された段差板部３８ｂとを有する。
【００３６】
固定板部３８ａは、外側壁面材２８の中空部２８ａに配設された板ナット４１にボルト４２を当該固定板部３８ａと外側壁面材２８とを介して締結することにより固定されている。詳しくは、ボルト４２は、固定板部３８ａに形成された孔部４４と、外側壁面材２８に形成された孔部４５とにそれぞれ挿通され、その挿通状態で板ナット４１のねじ孔４１ａに締結されている。
【００３７】
段差板部３８ｂは、固定板部３８ａに対して下側に配置されており、外側壁面材２８の裏面との間に所定の隙間を形成している。この隙間には、壁支持部材３７の縦板部３７ａが下方から入り込んでいる。この縦板部３７ａの入り込み状態において、上記のボルト４２が板ナット４１に締め付けられることで、縦板部３７ａが段差板部３８ｂと外側壁面材２８との間に挟み込まれており、その挟み込みによって外側壁面材２８が当該縦板部３７ａひいては壁支持部材３７に固定されている。
【００３８】
また、外側壁面材２８が壁支持部材３７（横板部３７ｂ）上にて固定された状態では、横板部３７ｂの屋外側端部が外側壁面材２８の壁厚み方向（以下、単に壁厚み方向ともいう）において当該壁面材２８の中空部２８ａの中間部と同位置に位置し、より詳しくは中空部２８ａの中央部よりも屋内側（換言すると外側壁面材２８の裏面側。以下、単に壁裏面側ともいう。）に位置している。これにより、横板部３７ｂ上に外側壁面材２８が載置される構成にあって、当該横板部３７ｂにより中空部２８ａ全体が塞がれてしまうことが回避されている。
【００３９】
外側壁面材２８と壁支持部材３７との間には、止水部材としての止水役物５０が挟み込まれた状態で設けられている。以下、この止水役物５０について図２に加えて図３を参照しつつ説明する。なお、図３は止水役物５０を示す縦断面図である。
【００４０】
図２及び図３に示すように、止水役物５０は、耐水性に優れた鋼板により折り曲げ形成されている。止水役物５０は、外側壁面材２８の幅方向に沿って長尺状に形成されており、その横断面形状が長手方向全域に亘って同じとされている。また、止水役物５０は、その厚みが壁支持部材３７の厚みよりも小さくなっており、詳しくは壁支持部材３７の厚みの半分以下、より詳しくは壁支持部材３７の厚みの１／３以下となっている。
【００４１】
止水役物５０は、外側壁面材２８の裏面と壁支持部材３７の縦板部３７ａとの間に挟み込まれた上側縦板部５０ａと、上側縦板部５０ａの下端部から壁厚み方向において屋外側（換言すると外側壁面材２８の表面側。以下、単に壁表面側ともいう。）に延び外側壁面材２８の下端面と壁支持部材３７の横板部３７ｂとの間に挟み込まれた横板部５０ｂと、横板部５０ｂの屋外側端部（上側縦板部５０ａ側とは反対側の端部）から下方に向けて延びる下側縦板部５０ｃとを有する。
【００４２】
上側縦板部５０ａは、縦板部３７ａの上端部から上方に一部はみ出した状態で、当該縦板部３７ａと外側壁面材２８の裏面との間に挟み込まれている。上側縦板部５０ａは、ボルト４２の締め付けにより固定金具３８の段差板部３８ｂが縦板部３７ａを外側壁面材２８側に押し付ける押し付け力によって、縦板部３７ａと外側壁面材２８の裏面との間で挟み込まれている。
【００４３】
横板部５０ｂは、外側壁面材２８の下端面と横板部３７ｂの上面との間で外側壁面材２８の自重により挟み込まれている。横板部５０ｂは、壁厚み方向において壁支持部材３７の横板部３７ｂよりも屋外側に延出した延出部５７を有している。延出部５７は、外側壁面材２８の中空部２８ａを下方から覆う位置まで延出しており、その屋外側（延出側）の端部が中空部２８ａの屋外側端部とほぼ同位置に位置している。なお、横板部５０ｂが止水横板部に相当する。
【００４４】
横板部５０ｂの延出部５７には、中空部２８ａを下向きに開放させるべく厚み方向に貫通する排水孔５１が形成されている。排水孔５１は、各中空部２８ａごとにそれぞれ設けられており、その開口面積（孔面積）が中空部２８ａの横断面積よりも小さくなっている。これにより、外側壁面材２８の上端部と笠木との隙間に配設された止水シールＳが劣化等して、雨水等の水が当該隙間を通じて中空部２８ａに入り込んだとしても、その入り込んだ水を中空部２８ａから排水孔５１を通じて下方へ排出することが可能となっている。
【００４５】
なお、排水孔５１は必ずしも各中空部２８ａごとに設ける必要はなく、例えば複数の中空部２８ａにおいて所定個数おきに排水孔５１を設けてもよい。
【００４６】
下側縦板部５０ｃには、壁下見切り材５３が取り付けられている。壁下見切り材５３は、外側壁面材２８の下端面を下方から覆い隠すものであり、外側壁面材２８の幅方向に沿って延びるように形成されている。壁下見切り材５３は、外側壁面材２８の幅方向に横並びで複数配置されており、隣り合う壁下見切り材５３同士が当該見切り材５３の内側に配設されたジョイント部材５５により互いに接続されている。なお、下側縦板部５０ｃが見切り取付部に相当する。
【００４７】
壁下見切り材５３は、鋼板が折り曲げられることにより形成されている。壁下見切り材５３は、下側縦板部５０ｃの屋外側面に取り付けられた取付板部５３ａと、取付板部５３ａの下端部から壁厚み方向において屋外側（換言すると壁表面側）に延びる上側横板部５３ｂと、上側横板部５３ｂの屋外側端部から下方に延びる前板部５３ｃと、前板部５３ｃの下端部から壁厚み方向において屋内側（換言すると壁裏面側）に延びる下側横板部５３ｄと、下側横板部５３ｄの屋内側端部から上方に延びる後板部５３ｅとを有する。
【００４８】
取付板部５３ａは、下側縦板部５０ｃの屋外側面にビス５４により取り付けられている。ビス５４は、取付板部５３ａの長手方向において所定間隔で複数配置されている。取付板部５３ａは、壁厚み方向において外側壁面材２８の中空部２８ａよりも屋外側（壁表面側）に位置し、その上端部が外側壁面材２８の下端面と当接している。なお、取付板部５３ａが被取付部に相当する。
【００４９】
上側横板部５３ｂは、外側壁面材２８の下端面と上下に対向している。上側横板部５３ｂと外側壁面材２８の下端面との間の隙間には当該隙間を塞ぐシール材５６が設けられている。シール材５６は、例えば不定形シールからなり、当該隙間に沿って充填されている。これにより、強風を伴う降雨があった場合に、雨水が外側壁面材２８の下端面と壁下見切り材５３（取付板部５３ａ）の上端との間を通じてバルコニー２０の床下へ吹き込むのを防止できる。また、このシール材５６によりビス５４が屋外側から覆い隠されるため、ビス５４が露出して美観が損なわれるのを防止することもできる。なお、上側横板部５３ｂが壁下対向部に相当する。
【００５０】
また、上側横板部５３ｂは、止水役物５０の下側縦板部５０ｃにおける上下方向の中間位置に配置されている。この場合、下側縦板部５０ｃは、その一部が上側横板部５３ｂよりも下方に延出して延出部５２となっている。
【００５１】
下側横板部５３ｄは、外側壁面材２８の下方において当該壁面材２８を壁厚み方向に跨ぐように設けられている。なお、下側横板部５３ｄが下板部に相当する。
【００５２】
後板部５３ｅには、その下端部に厚み方向に貫通する排水孔５８（孔部に相当）が形成されている。排水孔５８は、後板部５３ｅの長手方向に沿って所定の間隔（等間隔）で設けられている。この場合、外側壁面材２８の中空部２８ａに入り込んだ水が当該中空部２８ａから下方へ排出されると、その水が壁下見切り材５３の下側横板部５３ｄ上にて受け止められる。そして、その水は、その後下側横板部５３ｄ上を伝って排水孔５８まで流れ、その排水孔５８を通じて壁下見切り材５３の外すなわち屋外に排出される。
【００５３】
後板部５３ｅ上には、バルコニー２０の底面を形成するバルコニー底板５９が載置されている。バルコニー底板５９は、バルコニー２０の底部において外側壁面材２８よりもバルコニー内側に配設され、野縁等の下地材（図示略）を介してバルコニー床梁２３，２４により上方から支持されている。この場合、バルコニー底板５９の端部は後板部５３ｅによって下方から支持されており、その後板部５３ｅが支持板部に相当するものとなっている。
【００５４】
次に、止水役物５０の作用について説明する。
【００５５】
上述したように、壁下見切り材５３の上側横板部５３ｂと外側壁面材２８の下端面との間にはシール材５６が設けられているため、強風を伴う降雨がある場合でも壁下見切り材５３の上端部と外側壁面材２８の下端面との間を通じて雨水がバルコニー２０の床下側さらには建物本体１２側へ吹き込むのを阻止することができる。しかしながら、このシール材５６に経年劣化等によるシール切れが生じた場合には、雨水がシール材５６を通過して壁下見切り材５３の上端部と外側壁面材２８の下端面との間を通じてバルコニー２０の床下側へ吹き込んでくることが懸念される。
【００５６】
この点、本実施形態では、二次止水部材として止水役物５０が設けられているため、雨水がシール材５６を突破しても、止水役物５０によりその雨水がバルコニー２０の床下へ吹き込むのを阻止することができる。すなわち、雨水がシール材５６を突破して吹き込む場合には、雨水が外側壁面材２８の下端面に沿って当該下端面と壁支持部材３７との間の隙間を通じてバルコニー２０の床下（ひいては建物１０内）へ吹き込むことが想定されるが、本実施形態ではそれら両部材２８，３７の間に止水役物５０が挟み込まれているため、それら両部材２８，３７の間を通じた建物１０内への雨水の吹き込みを阻止することができる。
【００５７】
このように、本実施形態では、シール材５６を一次止水部材、止水役物５０を二次止水部材とした二重止水構造が構築されているため、建物１０内への雨水の吹き込みをより確実に阻止することが可能となっている。
【００５８】
以上、詳述した本実施形態の構成によれば、以下の優れた効果が得られる。
【００５９】
止水役物５０に、壁支持部材３７の横板部３７ｂと外側壁面材２８の下端面との間に挟み込まれる横板部５０ｂを設けたため、この横板部３７ｂを外側壁面材２８の自重により横板部３７ｂと外側壁面材２８との間で挟み込むことができる。この場合、横板部５０ｂの両面にそれぞれ外側壁面材２８の下端面及び横板部３７ｂの上面を密着させることができるため、外側壁面材２８の下端面と横板部３７ｂとの間を通じて雨水が建物１０内へ吹き込むのを確実に阻止することができる。
【００６０】
また、止水役物５０に、上記横板部５０ｂに加えて、壁支持部材３７の縦板部３７ａと外側壁面材２８の裏面との間に挟み込まれる上側縦板部５０ａを設けたため、外側壁面材２８の下端面と横板部３７ｂとの間の隙間に加え、外側壁面材２８の裏面と縦板部３７ａとの間の隙間についても止水役物５０で塞ぐことができる。これにより、外側壁面材２８と壁支持部材３７との間を通じた建物１０内への雨水の吹き込みをより確実に阻止することができる。
【００６１】
止水役物５０の厚みを壁支持部材３７の厚みよりも小さくしたため、上側縦板部５０ａと横板部５０ｂとの間の屈曲部の曲げ半径（曲げＲ）を壁支持部材３７における縦板部３７ａと横板部３７ｂとの間の屈曲部の曲げ半径よりも小さくすることができる。これにより、外側壁面材２８の下端面及び裏面にそれぞれ止水役物５０の横板部５０ｂ及び上側縦板部５０ａが配設される構成にあって、外側壁面材２８の裏面下端の角部が止水役物５０の屈曲部上に載って外側壁面材２８と止水役物５０との間に隙間が生じる不都合を生じにくくすることができ、その結果建物１０内への雨水の吹き込みを好適に阻止することが可能となる。
【００６２】
止水役物５０に、壁下見切り材５３を取り付けるための下側縦板部５０ｃを設けたため、止水役物５０を壁下見切り材５３の下地として兼用することができる。これにより、壁下見切り材５３を取り付けるための下地材を別途設ける必要がなくなるため、部品点数の増大を抑制しながら、建物１０内への雨水の吹き込みを阻止することができる。
【００６３】
また、下側縦板部５０ｃを横板部５０ｂから下方に延びるように設け、その横板部５０ｂの屋外側面に壁下見切り材５３を取り付けた。これにより、壁下見切り材５３（取付板部５３ａ）を横板部５０ｂにビス５４により取り付ける際には、その取付作業を屋外側から行うことができ、かかる取付作業を壁下見切り材５３の下方から行う場合と比べその取付作業をし易くすることができる。
【００６４】
横板部５０ｂに、壁支持部材３７の横板部３７ｂよりも屋外側に延出し中空部２８ａを下方から覆う延出部５７を設け、その延出部５７の延出側端部に当該端部から下方に延びる下側縦板部５０ｃを設けた。この場合、下側縦板部５０ｃに壁下見切り材５３の取付板部５３ａが屋外側から取り付けられることで、取付板部５３ａが中空部２８ａよりも屋外側に配置され、さらにその取付板部５３ａよりも下方では下側横板部５３ｄが壁厚み方向に中空部２８ａを跨いで設けられるため、中空部２８ａの下端開口が下方に露出するのを防止することができる。
【００６５】
また、延出部５７により中空部２８ａが下方から覆われる構成にあって、当該延出部５７には中空部２８ａを下方に開放させる排水孔５１が形成されているため、仮に中空部２８ａに水が入り込んだとしても、その入り込んだ水を排水孔５１を通じて下方に排出することができる。これにより、中空部２８ａに入り込んだ水が中空部２８ａで滞留するのを回避することができ、その結果滞留した水が腐食して悪臭が発生する等の不都合が生じるのを防止することができる。よって、この場合、中空部２８ａの下方への露出を防止しながらも、中空部２８ａにおける水の滞留を回避して上述の不都合が生じるのを防止することができる。
【００６６】
壁下見切り材５３における後板部５３ｅの下端部に排水孔５８を設けたため、中空部２８ａから下側横板部５３ｄ上に排出された水をこの排水孔５８を通じて壁下見切り材５３の外すなわち屋外に排出することができる。これにより、壁下見切り材５３の内部に水が溜まるのを回避することができるため、溜まった水が腐食して異臭が発生する等の不都合が生じるのを回避できる。
【００６７】
ここで、後板部５３ｅ上にはバルコニー底板５９が載置されているため、後板部５３ｅにはバルコニー底板５９からの下向き荷重が作用している。そのため、壁下見切り材５３は、その荷重により後板部５３ｅ側が若干下方に下がった状態で保持されることが想定される。その場合、下側横板部５３ｄは後板部５３ｅ側に向けて若干下方傾斜した状態となるため、中空部２８ａより下側横板部５３ｄ上に排出された水はその傾斜に沿って後板部５３ｅ側に流れることが想定される。この点、上記の実施形態では、排水孔５８を後板部５３ｅの下端部、換言すると下側横板部５３ｄと後板部５３ｅとの境界部に設けたため、下側横板部５３ｄ上の傾斜に沿って流れる水を排水孔５８を通じて好適に排出することができる。そのため、下側横板部５３ｄ上に水が滞留するのを確実に回避することができ、その結果水の滞留に伴う上述の不都合をより確実に防止することができる。
【００６８】
下側縦板部５０ｃに、壁下見切り材５３の上側横板部５３ｂよりも下方に延出した延出部５２を設けたため、中空部２８ａから下方に排出された水が取付板部５３ａの裏面から上側横板部５３ｂの裏面へと伝って流れるのを阻止することができる。これにより、中空部２８ａから排出された水をより確実に排水孔５８の方へ導くことが可能となるため、壁下見切り材５３の内部で水が滞留するのをより確実に回避することができる。
【００６９】
本発明は上記実施形態に限らず、例えば次のように実施されてもよい。
【００７０】
（１）上記実施形態では、止水役物５０に、壁支持部材３７と外側壁面材２８との間に挟み込まれる挟み込み板部として上側縦板部５０ａ及び横板部５０ｂを設けたが、これら各板部５０ａ，５０ｂのうちいずれか一方の板部５０ａ（又は５０ｂ）を設けないようにしてもよい。その場合でも、壁支持部材３７と外側壁面材２８との間を塞ぐことができるため、それら両部材２８，３７の間を通じた建物１０内への雨水の吹き込みを阻止することができる。
【００７１】
（２）上記実施形態では、止水役物５０に壁下見切り材５３を取り付けるための下側縦板部５０ｃを設けたが、止水役物５０に下側縦板部５０ｃを設けないようにしてもよい。この場合においても、建物１０内への雨水の吹き込みを阻止することが可能である。また、この場合には、壁下見切り材５３を取り付けるための下地材を別途設ければよい。
【００７２】
（３）上記実施形態では、壁下見切り材５３においてその後板部５３ｅの下端部に排水孔５８を設けたが、これに代えて又は加えて、下側横板部５３ｄにおける後板部５３ｅ側の端部に排水孔５８を設けてもよい。また、下側横板部５３ｄと後板部５３ｅとに跨がるようにして排水孔５８を設けてもよい。要するに、下側横板部５３ｄと後板部５３ｅとの境界部付近に排水孔５８を設ければ、中空部２８ａから下側横板部５３ｄ上に排出された水を下側横板部５３ｄ上に沿って排水孔５８へ好適に導くことができ、水が下側横板部５３ｄ上に滞留してしまうのを回避することができる。
【００７３】
なお、排水孔５８は必ずしも下側横板部５３ｄと後板部５３ｅとの境界部付近に設ける必要はなく、下側横板部５３ｄにおける中空部２８ａの真下位置等、他の部位に設けてもよい。
【００７４】
（４）上記実施形態では、壁下見切り材５３の上側横板部５３ｂと外側壁面材２８の下端面との間に、一次止水部材としてシール材５６を設けたが、このシール材５６を設けないようにしてもよい。この場合であっても、止水役物５０により建物１０内への雨水の吹き込みを阻止することができる。
【００７５】
（５）上記実施形態では、内部に中空部２８ａを有する窯業系サイディングからなる重厚外壁に本発明の止水構造を適用したが、中空部２８ａを有しない重厚外壁に本発明を適用してもよい。また、ＡＬＣからなる壁面材等、窯業系サイディング以外の壁面材に対して本発明を適用してもよい。例えばＡＬＣからなる壁面材は、その厚みが比較的大きいため、Ｌ字型の壁支持部材による壁支持構造が採用されることが想定され、その場合本発明の止水構造を適用することが可能となる。
【００７６】
（６）上記実施形態では、バルコニー２０のバルコニー腰壁部２２を構成する外側壁面材２８（外壁面材に相当）に対して本発明の止水構造を適用したが、バルコニー以外の建物部位に設けられる外壁面材に本発明を適用してもよい。例えば、建物本体１２の外壁部１８を構成する外壁面材に対して本発明の止水構造を適用することが考えられる。
【符号の説明】
【００７７】
１０…建物、１２…建物本体、２０…バルコニー、２２…腰壁部としてのバルコニー腰壁部、２８…外壁面材としての外側壁面材、２８ａ…中空部、３７…壁支持部材、３７ａ…縦板部、３７ｂ…横板部、５０…止水部材としての止水役物、５０ｂ…止水横板部としての横板部、５０ｃ…見切り取付部としての下側縦板部、５１…排水孔部としての排水孔、５３…壁下見切り材、５３ａ…被取付部としての取付板部、５３ｂ…壁下対向部としての上側横板部、５３ｄ…下板部としての下側横板部、５３ｅ…支持板部としての後板部、５６…シール材、５７…延出部、５８…孔部としての排水孔、５９…バルコニー底板。
【図１】
2015094143.tif 000003
【図２】
2015094143.tif 000004
【図３】
2015094143.tif 000005